(57)【要約】【課題】一方の障子の突合せ框が他方の障子の突合せ框の外側を覆って呑み込むような框形状を有していても、開閉操作時に指を挟むおそれのない建具を提供すること。【解決手段】同一レール２２１上を移動する第１の障子５と第２の障子４を有し、第１の障子５と第２の障子４との突合せ框５３、４３同士が突き合わされて閉じられるように構成される建具１であって、第１の障子５の突合せ框５３は、見込み方向の屋内側に張り出すと共に、第１の障子５と第２の障子４が閉じられたときに第２の障子４の突合せ框４３の屋内側の見付け面４３ｂを覆うように配置される框被覆部５３３を有し、第１の障子５の突合せ框５３の框被覆部５３３と、第２の障子４の突合せ框４３の屋内側の見付け面４３ｂとが対向する部位に、第１の障子５の突合せ框５３の戸先端面５３３ａに露出するように、緩衝部材９が配置されている。【選択図】図３
2019143353.tif 000002
【特許請求の範囲】
【請求項１】
同一レール上を移動する第１の障子と第２の障子を有し、前記第１の障子と前記第２の障子との突合せ框同士が突き合わされて閉じられるように構成される建具であって、
前記第１の障子の前記突合せ框は、見込み方向の屋内側に張り出すと共に、前記第１の障子と前記第２の障子が閉じられたときに前記第２の障子の前記突合せ框の屋内側の見付け面を覆うように配置される框被覆部を有し、
前記第１の障子の前記突合せ框の前記框被覆部と、前記第２の障子の前記突合せ框の屋内側の前記見付け面とが対向する部位に、前記第１の障子の前記突合せ框の戸先端面に露出するように、緩衝部材が配置されている、建具。
【請求項２】
前記緩衝部材は、前記第１の障子の前記突合せ框側に取り付けられている、請求項１に記載の建具。
【請求項３】
前記緩衝部材は、中空部を有する、請求項１又は２に記載の建具。
【発明の詳細な説明】
【技術分野】
【０００１】
本発明は、建具に関する。詳しくは、同一レール上を移動する２枚の障子の突合せ框同士が突き合わされて閉じられるように構成される建具に関する。
【背景技術】
【０００２】
従来、同一レール上を移動する２枚の障子の突合せ框同士が突き合わされて閉じられるように構成される建具が知られている（例えば、特許文献１参照）。この特許文献１に記載の建具は、一方の障子の突合せ框が他方の障子の突合せ框の外側を覆って呑み込むような形状を有している。
【先行技術文献】
【特許文献】
【０００３】
【特許文献１】実用新案登録第３１７３１６１号公報
【発明の概要】
【発明が解決しようとする課題】
【０００４】
特許文献１に記載の建具のように、一方の障子の突合せ框が他方の障子の突合せ框の外側を覆って呑み込むような框形状を有している場合、その突合せ框を手で掴んで開閉操作した際に、突合せ框の間に指を挟むおそれがある。
【０００５】
そこで、本発明は、一方の障子の突合せ框が他方の障子の突合せ框の外側を覆って呑み込むような框形状を有していても、開閉操作時に指を挟むおそれのない建具を提供することを目的とする。
【課題を解決するための手段】
【０００６】
（１）  本発明に係る建具は、同一レール（例えば、後述の２２１）上を移動する第１の障子（例えば、後述の障子５）と第２の障子（例えば、後述の障子４）を有し、前記第１の障子と前記第２の障子との突合せ框（例えば、後述の突合せ框５３、４３）同士が突き合わされて閉じられるように構成される建具（例えば、後述の建具１）であって、前記第１の障子の前記突合せ框は、見込み方向の屋内側に張り出すと共に、前記第１の障子と前記第２の障子が閉じられたときに前記第２の障子の前記突合せ框の屋内側の見付け面（例えば、後述の見付け面４３ｂ）を覆うように配置される框被覆部（例えば、後述の框被覆部５３３）を有し、前記第１の障子の前記突合せ框の前記框被覆部と、前記第２の障子の前記突合せ框の屋内側の前記見付け面とが対向する部位に、前記第１の障子の前記突合せ框の戸先端面（例えば、後述の戸先端面５３３ａ）に露出するように、緩衝部材（例えば、後述の緩衝部材９）が配置されている。
【０００７】
（２）  （１）に記載の建具において、前記緩衝部材は、前記第１の障子の前記突合せ框側に取り付けられていることが好ましい。
【０００８】
（３）  （１）又は（２）に記載の建具において、前記緩衝部材は、中空部（例えば、後述の中空部９３）を有することが好ましい。
【発明の効果】
【０００９】
本発明によれば、一方の障子の突合せ框が他方の障子の突合せ框の外側を覆って呑み込むような框形状を有していても、開閉操作時に指を挟むおそれのない建具を提供することができる。
【図面の簡単な説明】
【００１０】
【図１】本発明に係る建具の一実施形態を示す正面図である。
【図２】図１に示す建具の開閉操作を説明する模式図である。
【図３】図１に示す建具における第１の障子と第２の障子の突合せ部の拡大横断面図である。
【図４】図１に示す建具における第１の障子の開閉操作時の様子を示す突合せ部の拡大横断面図である。
【発明を実施するための形態】
【００１１】
以下、本発明の実施形態について図面を用いて詳細に説明する。
図１は、本発明に係る建具の一実施形態を示す正面図であり、建具を屋内側から見た状態を示している。この建具１は、上横枠２１と下横枠２２と左右一対の縦枠２３、２３とで矩形に形成された枠体２の内側に、４枚の障子３〜６を備えている。図１は、これら４枚の障子３〜６が全て閉じられた状態を示している。建具１は、このように４枚の障子３〜６が閉じられることにより、屋内側と屋外側とを隔てるように構成される。
【００１２】
４枚の障子３〜６のうち、中央に配置される２枚の障子４、５は、上横枠２１及び下横枠２２に形成された同一のレール（図示せず）上を左右にスライド移動するように枠体２に取り付けられている。また、両端に配置される２枚の障子３、６は、上横枠２１及び下横枠２２に、中央の障子４、５がスライド移動するレールの屋外側に平行に配置された同一のレール（図示せず）上を左右にスライド移動するように枠体２に取り付けられている。
【００１３】
この建具１は、両端の障子３、６がそれぞれ縦枠２３、２３に突き当てられると共に、これらの障子３、６の屋内側に配置される障子４、５が、建具１の中央部で突き合わされることにより閉じられる。閉じられた状態において、建具１の中央部に、障子４と障子５との突合せ部１０が構成される。この建具１において、中央に配置される２枚の障子４、５のうちの一方（図１における右側）の障子５が、本発明の第１の障子に対応し、他方（図１における左側）の障子４が、本発明の第２の障子に対応する。
【００１４】
障子４は、それぞれ横方向に延びる上框４１と下框４２と、障子４の戸先側（図１における右側）に縦方向に延びる縦框である突合せ框４３と、障子４の戸尻側（図１における左側）に縦方向に延びる縦框４４とで矩形に枠組みされた内側に、ガラスＧが収容されている。また、障子５は、それぞれ横方向に延びる上框５１と下框５２と、障子５の戸先側（図１における左側）に縦方向に延びる縦框である突合せ框５３と、障子５の戸尻側（図１における右側）に縦方向に延びる縦框５４とで矩形に枠組みされた内側に、ガラスＧが収容されている。なお、図１における障子４の突合せ框４３は、詳細には後述するが、障子５の突合せ框５３に隠れて見えていない。中央の障子４と障子５とは、それぞれの突合せ框４３、５３同士が突き合わされることにより閉じられ、中央部で突き合わされた突合せ框４３、５３により、突合せ部１０が構成される。
【００１５】
障子３、６は、それぞれ横方向に延びる上框３１、６１と下框３２、６２と、それぞれ縦方向に延びる縦框３３、３４、６３、６４とで矩形に枠組みされた内側に、ガラスＧが収容されている。図１において、障子３の戸先側（図１における右側）に配置される縦框３３は、障子４の縦框４４に隠れて見えていない。また、障子６の戸先側（図１における左側）に配置される縦框６３は、障子５の縦框５４に隠れて見えていない。障子３、６のそれぞれ縦框３４、６４の屋内側及び屋外側には、開閉操作のための手掛け部３５、６５が、縦框３４、６４の延び方向（図１における上下方向）に沿って凹設されている。
【００１６】
建具１の縦方向の中ほどには、障子３と障子４とに亘り、及び障子５と障子６とに亘り、それぞれ両者を施錠するクレセント錠７、７が取り付けられている。また、障子３、６の下框３２、６２には、それぞれ障子４及び障子５を施錠する補助ロック機構８、８が取り付けられている。
【００１７】
次に、図２を用いて、障子４、５の概略形状及び障子５の開閉操作について説明する。図２は、建具１の開閉操作を説明する模式図であり、平面視した障子３〜６を示している。図２において、障子３〜６がスライド移動する２本のレールの図示は省略した。
障子４の戸先側に配置される突合せ框４３は、見込み方向（屋内外方向であり、図２における上下方向）の屋外側に向けて張り出す形状に形成されている。具体的には、突合せ框４３は、屋外側に向けて略垂直方向に突出して張り出していると共に、その張り出した部位が、障子５の突合せ框５３の屋外側の見付け面５３ｂ（図３参照）を覆うように、障子５側に変位した形状に形成されている。
【００１８】
障子４の戸尻側の縦框４４は、見込み方向の屋内側に向けて張り出す形状に形成されている。具体的には、縦框４４は、突合せ框４３とは逆に、屋内側に向けて略垂直方向に突出して張り出している。この縦框４４は、障子３の縦框３３とオーバーラップする位置に配置されることにより、障子３の縦框３３を屋内側から覆い隠すように配置されている。
【００１９】
一方、障子５の戸先側に配置される突合せ框５３は、障子４の突合せ框４３とは逆に、見込み方向の屋内側に向けて張り出す形状に形成されている。具体的には、突合せ框５３は、屋内側に向けて略垂直方向に突出するように張り出していると共に、その張り出した部位が、障子４の突合せ框４３の屋内側の見付け面４３ｂ（図３参照）を覆うように、障子４側に変位した形状に形成されている。
【００２０】
障子５の戸尻側の縦框５４も、突合せ框５３と同様に、見込み方向の屋内側に向けて張り出す形状に形成されている。具体的には、縦框５４は、突合せ框５３と同様に、屋内側に向けて略垂直方向に突出するように張り出している。この障子５の縦框５４は、障子６の縦框６３とオーバーラップする位置に配置されることにより、障子６の縦框６３を屋内側から覆い隠すように配置されている。
【００２１】
障子５を屋内側から開閉操作する場合は、屋内側に張り出している障子５の突合せ框５３を手で掴んで、白抜き矢印の方向にスライド移動させる。即ち、障子５のスライド移動は、突合せ框５３を手で掴むことによって行われる。
【００２２】
次に、この障子４、５の突合せ框４３、５３の更に具体的な構成について図３を用いて説明する。図３は、図１に示す建具１における障子４と障子５との突合せ部１０の拡大横断面図である。図３において、障子４と障子５は、同一のレール２２１上をスライド移動可能に配置されている。
【００２３】
障子４の突合せ框４３は、アルミ等の金属材により押出し成形され、スペーサＳによって間隔を空けて配置された３枚のガラスＧを、ガスケット４ａを介して収容している。突合せ框４３の突合せ面（障子５と突き合わされる面）４３ａには、障子５に向けて略垂直に立ち上がる立壁部４３１を一体に有している。突合せ框４３の屋内側の見付け面４３ｂは、樹脂製カバー４３２によって覆われている。これにより、障子４は断熱性に優れる。
【００２４】
突合せ框４３は、屋外側に向けて突出して張り出した框被覆部４３３を一体に有している。框被覆部４３３は、突合せ框４３の延び方向（図１における上下方向）に沿って形成されている。框被覆部４３３は、障子４のガラスＧの面（ガラスＧの屋外側の面）に対して略垂直方向に立ち上がる第１壁部４３３ａと、この第１壁部４３３ａの屋外側の端部から障子５側に向けて屈曲し、障子４のガラスＧの面と略平行に延びる第２壁部４３３ｂと、この第２壁部４３３ｂの端部から障子５側に向けて屈曲し、第１壁部４３３ａと略平行に延びる第３壁部４３３ｃと、この第３壁部４３３ｃの端部から突合せ面４３ａに向けて延びる第４壁部４３３ｄと、を一体に有し、横断面が略矩形状に形成されている。
【００２５】
第２壁部４３３ｂの表面は、突合せ框４３及び框被覆部４３３の屋外側の見付け面を形成する。この第２壁部４３３ｂは、突合せ框４３の突合せ面４３ａよりも障子５側に突出している。第２壁部４３３ｂは、突合せ面４３ａよりも障子５側に向けて大きく延び、障子５の突合せ框５３の屋外側の見付け面５３ｂの全体を実質的に覆い隠している。これにより、突合せ框４３の屋外側は、障子５側に変位した形状とされる。このため、建具１を屋外側から観察した場合、突合せ部１０の幅は、実質的に障子４の突合せ框４３の見付け面の幅（第２壁部４３３ｂの幅）だけの細幅状となり、建具１の意匠性向上が図られる。
【００２６】
一方、障子５の突合せ框５３も、スペーサＳによって間隔を空けて配置された３枚のガラスＧを、ガスケット５ａを介して収容している。突合せ框５３の屋外側の見付け面５３ｂは、突合せ面５３ａよりも障子４側に向けて延長され、障子４の突合せ框４３の突合せ面５３ａに形成された立壁部４３１とオーバーラップしている。延長された見付け面５３ｂの先端には、第１気密材５３１が取り付けられ、立壁部４３１との間を封止している。
【００２７】
また、突合せ框５３は、突合せ面５３ａの屋内側の端部に、断熱のためのブリッジ部５３２を介して、屋内側に向けて突出して張り出した框被覆部５３３を有している。框被覆部５３３は、ブリッジ部５３２と接続され、アルミ等の金属材により一体に押出し成形された框被覆部本体５３４と、この框被覆部本体５３４の外側を覆う樹脂製カバー５３５とで構成される。
【００２８】
框被覆部本体５３４は、障子５のガラスＧの面（ガラスＧの屋内側の面）に対して略垂直方向に立ち上がる第１壁部５３４ａと、この第１壁部５３４ａの屋外側の端部から障子４側に向けて屈曲し、障子５のガラスＧの面と略平行に延びる第２壁部５３４ｂと、この第２壁部５３４ｂの障子４側の端部から屋外側に向けて屈曲し、第１壁部５３４ａと略平行に延びる第３壁部５３４ｃと、この第３壁部５３４ｃの屋外側の端部から障子５側に向けて屈曲し、第２壁部５３４ｂと略平行に延びる第４壁部５３４ｄと、この第４壁部５３４ｄの障子５側の端部から屋外側に向けて屈曲し、ブリッジ部５３２と連結される第５壁部５３４ｅとを一体に有する。
【００２９】
このうちの第２壁部５３４ｂは、突合せ框５３の突合せ面５３ａよりも障子４側に突出している。第２壁部５３４ｂは、障子４側に向けてガラスＧの面と平行に大きく延び、障子４の突合せ框４３の屋外側の見付け面４３ｂを構成する樹脂製カバー４３２のほぼ全体を実質的に覆い隠している。これにより、突合せ框５３は、障子４側に変位した形状とされる。突合せ框５３の樹脂製カバー５３５は、第１壁部５３４ａ、第２壁部５３４ｂ及び第３壁部５３４ｃに亘って、これらの外側（屋内側）を覆っている。このため、建具１を屋内側から観察した場合、突合せ部１０の幅は、図１に示すように、実質的に障子５の突合せ框５３の見付け面（樹脂製カバー５３５の屋内側の面）の幅だけの細幅状となり、建具１の意匠性向上が図られる。また、樹脂製カバー５３５を有することにより、障子５は断熱性に優れる。
【００３０】
突合せ框５３の突合せ面５３ａには、第２気密材５３６が収容され、突合せ框４３、５３の突合せ面４３ａ、５３ａ同士の間を封止している。
【００３１】
第４壁部５３４ｄと障子４の突合せ框４３の樹脂製カバー４３２との間には、大きなスペース１００が空けられている。このスペース１００は、障子５の突合せ框５３の框被覆部５３３と、障子４の突合せ框４３の屋内側の見付け面４３ｂとが対向する部位に設けられている。具体的には、このスペース１００は、障子５を開閉操作する際に框被覆部５３３を掴んだ際に、指が挿入し得る程度の大きさを有している。
【００３２】
このスペース１００に、ゴム等の弾性材料からなる緩衝部材９が設けられている。本実施形態の緩衝部材９は、框被覆部５３３の第４壁部５３４ｄにおける屋外側の面に、突合せ框４３の屋内側の見付け面４３ｂに向けて突出するように取り付けられている。緩衝部材９は、框被覆部５３３における障子４側に配置される戸先端面５３３ａと略平行に延び、戸先端面５３３ａと略面一状に配置される側面部９１を有している。従って、緩衝部材９は、スペース１００において、戸先端面５３３ａに、障子４側（図３における左側）に向けて露出するように配置されている。側面部９１は、戸先端面５３３ａと略面一状であるため、図３に示すように、障子４、５が閉じられた状態では、スペース１００を塞ぐように機能する。このため、突合せ部１０の屋内側からの意匠性が損なわれるおそれはない。
【００３３】
緩衝部材９は、図３に示すように、障子４、５が閉じられた際に、突合せ框４３の屋内側の見付け面４３ｂ（樹脂製カバー４３２）と当接する突片部９２を一体に有している。これにより、緩衝部材９は、突合せ框４３の屋内側の見付け面４３ｂとの間を封止する第３気密材としても機能している。
【００３４】
更に、緩衝部材９は、中空部９３を有している。このため、緩衝部材９は、中空部９３内の空気により形状保持性に優れ、意匠性を損なうことがないと共に、外部から力が加わった際に、中空部９３（空気）が圧縮されることにより、適度な弾力性（クッション性）を有して変形可能である。
【００３５】
図４に示すように、この緩衝部材９を有する障子５の突合せ框５３を手で掴んで開閉操作する場合は、指先が緩衝部材９の側面部９１と当接する。このとき、緩衝部材９は、指先が緩衝部材９の側面部９１上に載っていること（指を挟んでしまう位置にはないこと）を、開閉操作者に対して容易に知覚させることができる。このため、突合せ框５３を掴んだまま障子４、５を閉じ合せた際に、突合せ框５３と障子４の屋内側の見付け面４３ｂとの間に指を挟んでしまうことを防止することができる。また、開閉操作者の指が、障子４の屋内側の見付け面４３ｂに近接し過ぎても、緩衝部材９が容易に弾性変形するため、指を痛めるおそれはなく、操作性が向上する。
【００３６】
緩衝部材９は、障子４の屋内側の見付け面４３ｂに取り付けられてもよいが、本実施形態に示すように、障子５の突合せ框５３側に取り付けられる場合は、障子４又は障子５を開操作した際に、緩衝部材９が屋内側に露出することがなく、屋内側から直接目視されないため、建具１の意匠性を更に良好にすることができる。
【００３７】
図１に示した建具１の両端に配置される障子３、６は、枠体２に移動不能に固定されていてもよい。また、本発明における建具１の障子は４枚に限定されず、少なくとも２枚の障子が突き合わされて閉じられるように構成されるものであればよい。
【符号の説明】
【００３８】
１  建具
２２１  レール
４  障子（第２の障子）
５  障子（第１の障子）
４３、５３  突合せ框
４３ｂ  見付け面（第２の障子の突合せ框の屋内側の見付け面）
５３３  框被覆部
５３３ａ  戸先端面
９  緩衝部材
９３  中空部
【図１】
2019143353.tif 000003
【図２】
2019143353.tif 000004
【図３】
2019143353.tif 000005
【図４】
2019143353.tif 000006